(57)【要約】【課題】物品を取り出すときに必要なスペースが狭くてすみ、物品を出し入れするときに収納されている物品がこぼれおちない縦型スーツケースを提供する。【解決手段】物品を収納する収納スペースを有する上部収納ケースと；収納スペースを有する下部収納ケースと；上部収納ケースと下部収納ケースとを、上下方向に摺動可能に連結する連結装置と；を備え、連結装置は、上部収納ケースを、上部収納ケースの底面によって下部収納ケースの開口部を塞ぐ位置まで摺動可能であり、上部収納ケースを、下部収納ケースから収納されている物品を出し入れ可能な位置まで摺動可能である、ことを特徴とする。【選択図】図１
0003137174.tif 000002
【実用新案登録請求の範囲】
【請求項１】
物品を収納する収納スペースを有する上部収納ケースと、
収納スペースを有する下部収納ケースと、
前記上部収納ケースと前記下部収納ケースとを、上下方向に摺動可能に連結する連結装置と、
を備えることを特徴とする、縦型スーツケース。
【請求項２】
前記連結装置が、
前記上部収納ケースを、前記上部収納ケースの底面によって前記下部収納ケースの開口部を塞ぐ位置まで摺動可能であることを特徴とする、請求項１記載の縦型スーツケース。
【請求項３】
前記連結装置が、
前記上部収納ケースを、前記下部収納ケースから収納されている物品を出し入れ可能な位置まで摺動可能であることを特徴とする、請求項１記載の縦型スーツケース。
【請求項４】
物品を収納する収納スペースを有する上部収納ケースと、
収納スペースを有する下部収納ケースと、
前記上部収納ケースと前記下部収納ケースとを、上下方向に摺動可能に連結する連結装置と、を備え、
前記連結装置は、
前記上部収納ケースを、前記上部収納ケースの底面によって前記下部収納ケースの開口部を塞ぐ位置まで摺動可能であり、
前記上部収納ケースを、前記下部収納ケースから収納されている物品を出し入れ可能な位置まで摺動可能である、
ことを特徴とする、縦型スーツケース。
【請求項５】
物品を収納する収納スペースを有する上部収納ケースと、
収納スペースを有する下部収納ケースと、
前記上部収納ケースと前記下部収納ケースとを、連結する連結装置を備え、
前記連結装置は、
前記上部収納ケースを、前記上部収納ケースの底面によって前記下部収納ケースの開口部を塞ぐように開閉可能に連結する、ことを特徴とする、縦型スーツケース。
【請求項６】
物品を収納する収納スペースを有する上部収納ケースと、
収納スペースを有する下部収納ケースと、
前記上部収納ケースを一方向に移動させたとき、前記上部収納ケースの底面によって前記下部収納ケースの収納スペースの開口部を塞ぎ、
前記上部収納ケースを他方向に移動させたとき、前記下部収納ケースから収納されている物品を出し入れ可能な位置まで移動する、ように前記上部収納ケースと前記下部収納ケースとを開閉可能に連結する連結装置と、
を備える縦型スーツケース。
【請求項７】
前記上部収納ケース又は前記上部収納ケースの蓋部に、
複数の取っ手を備えることを特徴とする、請求項１乃至請求項６のいずれか１項に記載の縦型スーツケース。
【考案の詳細な説明】
【技術分野】
【０００１】
本考案は、縦に開閉する縦型スーツケースに関する。
【背景技術】
【０００２】
従来のスーツケースは左右に開閉可能な一対の蓋によって構成されていた。このため、収納する物品を出し入れする際には、スーツケースを横に倒し、蓋を完全に開けなければならない。この蓋を完全に開けた状態では大きな床スペースが必要となり、混雑した場所では物品の出し入れがしにくいという問題点があった。
【０００３】
この点に関し特許文献１には、蓋の一方が平面状に構成され、この平面状の蓋を手前側に開けることによって、物品の出し入れをするスーツケースが開示されている。
【０００４】
しかし、このスーツケースによっては、平面状の蓋を開けた時に収納されていた物品が手前側にこぼれおちるという問題点があった。
【特許文献１】実用新案登録第３０８１４４４号公報
【考案の開示】
【考案が解決しようとする課題】
【０００５】
本発明は上記のような問題点に鑑みてなされたものであり、物品を取り出すときに必要なスペースが狭くてすみ、物品を出し入れするときに収納されている物品がこぼれおちない縦型スーツケースを提供することを目的とする。
【課題を解決するための手段】
【０００６】
この目的を達成するために、本考案は物品を収納する収納スペースを有する上部収納ケースと；収納スペースを有する下部収納ケースと；上部収納ケースと下部収納ケースとを、上下方向に摺動可能に連結する連結装置と；を備え、連結装置は、上部収納ケースを、上部収納ケースの底面によって下部収納ケースの開口部を塞ぐ位置まで摺動可能であり、上部収納ケースを、下部収納ケースから収納されている物品を出し入れ可能な位置まで摺動可能である、ことを特徴とする、縦型スーツケースを提供する。
【０００７】
また、本考案は物品を収納する収納スペースを有する上部収納ケースと、収納スペースを有する下部収納ケースと、上部収納ケースを一方向に移動させたとき、上部収納ケースの底面によって下部収納ケースの収納スペースの開口部を塞ぎ、上部収納ケースを他方向に移動させたとき、下部収納ケースから収納されている物品を出し入れ可能な位置まで移動する、ように上部収納ケースと下部収納ケースとを開閉可能に連結する連結装置と、を備える縦型スーツケースを提供する。
【考案の効果】
【０００８】
本考案の縦型スーツケースによれば、物品を取り出すときに必要なスペースが狭くてすみ、物品を出し入れするときに収納されている物品がこぼれ落ちないという効果がある。
【考案を実施するための最良の形態】
【０００９】
本発明の縦型スーツケースの一実施形態を、図面を用いて説明する。図１は本実施形態の縦型スーツケースの開けた様子を示した斜視図である。本実施形態の縦型スーツケース１０は、物品を収納する収納スペース１１２を有する上部収納ケース１１と、物品を収納する収納スペースを有する下部収納ケース１２と、上部収納ケース１１と下部収納ケース１２とを、上下方向、すなわち矢印ＸＹ方向に摺動可能に連結する連結装置１３と、を備える。上部収納ケース１１は蓋部１１１を有していてもよく、またファスナーなどによって開閉する開閉機構を備えていてもよい。
【００１０】
連結装置１３は、上部収納ケース１１を、上部収納ケース１１の底面によって下部収納ケース１２の開口部を塞ぐ位置まで摺動可能であり、上部収納ケース１１を、下部収納ケース１２から収納されている物品を出し入れ可能な位置まで摺動可能である。
【００１１】
すなわち、上部収納ケース１１を上方に引き上げると下部収納ケース１２の収納部１２１から物品を出し入れすることができる。また、上部収納ケース１１を下方に下ろすと下部収納ケース１２の収納部１２１の開口部を上部収納ケース１１の底面が塞ぎ、上部収納ケース１１が下部収納ケース１２の蓋となる。
【００１２】
上部収納ケース１１の収納スペース１１２と下部収納ケース１２の収納スペース１２１は、ともに上方に開口する開口部を有し、側面に隔壁を有するように構成することが望ましい。このような構造をとることにより、蓋部１１１を開け、上部収納ケース１１を上方に移動させたときに物品がこぼれ落ちることがない。
【００１３】
図２は、本実施形態の縦型スーツケース１０を図１の矢印Ａの方向から見た図である。図２に示すように、本実施形態の縦型スーツケース１０は複数の連結装置１３を有するように構成できる。連結装置１３は例えば左右に一台ずつ設置することができる。連結装置１３は上部収納ケース１１又は下部収納ケース１２に連結具収納部１３１を有する。
【００１４】
図３は、本実施形態の縦型スーツケース１０を図１の矢印Ｂの方向から見た図である。図２に示すように、連結装置１３の連結具収納部１３１は、連結具１３３を収納する連結具収納スペース１３２を有する。なお、各図において点線は目視できない収納スペースの形状を表し、一点鎖線は連結装置１３の目視できない形状を表し、二点鎖線は連結具収納スペース１３２を表す。
【００１５】
連結装置１３は一端を連結具収納スペース１３２の内部を摺動可能に、連結具収納スペース１３２の内部に挿入され、他端を下部収納ケースに固定される。また、連結具収納部１３１は上部収納ケース１１に固定される。
【００１６】
連結装置１３は、アルミニウム、鉄などの金属によって形成されていることが望ましい。
【００１７】
図４は、図３において上部収納ケース１１を下方に摺動させ、上部収納ケース１１の底面によって下部収納ケース１２の収納スペース１２１の開口部を塞いだ状態を示した図である。図４に示すように、上部収納ケース１１を下方に摺動させたとき、摺動可能な連結具１３３の一端は連結具収納スペース１３２の内部に入り込む。
【００１８】
なお、本実施形態の連結装置１３は摺動可能な機構に限るものではない。すなわち、本実施形態の縦型スーツケースは、物品を収納する収納スペース１１２を有する上部収納ケース１１と、物品を収納する収納スペース１２１を有する下部収納ケース１２と、上部収納ケース１１を一方向に移動させたとき、上部収納ケース１１の底面によって下部収納ケース１２の収納スペース１２１の開口部を塞ぎ、上部収納ケース１１を他方向に移動させたとき、下部収納ケース１２から収納されている物品を出し入れ可能な位置まで移動する、ように上部収納ケース１１と下部収納ケース１２とを開閉可能に連結する連結装置１３と、を備えるように構成することができる。
【００１９】
この場合、連結装置１３の機構には、例えばパンタグラフ機構やエアサスペンション機構、蝶番などを用いることができるが、これらに限られるものではない。
【００２０】
図５は、本実施形態の縦型スーツケース１０の閉めた様子を示した斜視図である。図５に示すように、本実施形態の縦型スーツケース１０は、蓋部１１１に複数の取っ手１１２を備えるように構成することができる。また、本実施形態の縦型スーツケース１０は、ナンバーロックキー１１３、および３６０度回動可能なキャスター１２２を備えるように構成することもできる。
【００２１】
以上述べたように、本実施形態に縦型スーツケース１０おいては上部収納ケース１１が上下方向に移動することにより下部収納ケース１２の収納スペース１２１の開口部を開閉する。このため、物品を取り出すときに必要なスペースが狭くてすみ、物品を出し入れするときに収納されている物品がこぼれ落ちないという効果がある。
【産業上の利用可能性】
【００２２】
本発明は、スーツケースのみならず、一般的な収納ケースに利用できる。
【図面の簡単な説明】
【００２３】
【図１】本実施形態の縦型スーツケースの開けた様子を示した斜視図である。
【図２】本実施形態の縦型スーツケース１０を図１の矢印Ａの方向から見た図である。
【図３】本実施形態の縦型スーツケース１０を図１の矢印Ｂの方向から見た図である。
【図４】図３において上部収納ケース１１を下方に摺動させ、上部収納ケース１１の底面によって下部収納ケース１２の収納スペース１２１の開口部を塞いだ状態を示した図である。
【図５】本実施形態の縦型スーツケース１０の閉めた様子を示した斜視図である。
【符号の説明】
【００２４】
１０：縦型スーツケース、
１１：上部収納ケース、
１２：下部収納ケース、
１３：連結装置、
１１１：蓋部、
１１２：取っ手。
【図１】
0003137174.tif 000003
【図２】
0003137174.tif 000004
【図３】
0003137174.tif 000005
【図４】
0003137174.tif 000006
【図５】
0003137174.tif 000007